(57)【要約】      （修正有）【課題】光配線架において、筐体内の特定の光配線に起因した接続障害を容易に解消可能な成端ユニット及びそれを用いた光配線の交換方法を提供する。【解決手段】光配線架の架部に載置される成端ユニット２は、筐体と、筐体内に設けられ、光配線架の外部から導入される多心ケーブルに融着接続される複数の第１光配線Ｃ１と、筐体内にて一列に並んで設けられ、複数の第１光配線Ｃ１が筐体の内側から各々接続され、且つ、複数の第２光配線Ｃ３が筐体の外側から各々接続される複数のアダプタ２３を有するアダプタ群２１と、複数のアダプタ２３の配列方向において筐体とアダプタ群２１との間、及びアダプタ群内の少なくともいずれかに設けられ、少なくとも一本の光配線が通過可能な光配線通過部２８と、を備える。【選択図】図６
2019039977.tif 000002
【特許請求の範囲】
【請求項１】
光配線架の架部に載置される成端ユニットであって、
筐体と、
前記筐体内に設けられ、前記光配線架の外部から導入される多心ケーブルに融着接続される複数の第１光配線と、
前記筐体内にて一列に並んで設けられ、前記複数の第１光配線が前記筐体の内側から各々接続され、且つ、複数の第２光配線が前記筐体の外側から各々接続される複数のアダプタを有するアダプタ群と、
前記複数のアダプタの配列方向において前記筐体と前記アダプタ群との間、及び前記アダプタ群内の少なくともいずれかに設けられ、少なくとも一本の光配線が通過可能な光配線通過部と、
を備える成端ユニット。
【請求項２】
前記光配線通過部は、前記配列方向において前記アダプタ群を挟むように複数設けられている、請求項１に記載の成端ユニット。
【請求項３】
前記光配線通過部は、前記配列方向における前記筐体と前記アダプタ群との間、及び前記アダプタ群内の両方に設けられている、請求項１又は２に記載の成端ユニット。
【請求項４】
前記筐体内にて、前記複数の第１光配線の心線部分を保護するカバーシートをさらに備える、請求項１〜３のいずれか一項に記載の成端ユニット。
【請求項５】
請求項１〜４のいずれか一項に記載の成端ユニットを用いた光配線の交換方法であって、
前記光配線架の外部にて、前記複数の第１光配線のいずれかに接続されている前記多心ケーブルの心線を切断し、切断された前記心線の切断面を交換用光配線に融着接続する融着接続工程と、
前記交換用光配線の先端部を、前記光配線通過部を介して前記筐体内に収容する収容工程と、
前記融着接続工程にて断線する前記第１光配線を前記アダプタから抜き出した後、前記交換用光配線の先端部を当該アダプタに挿入する接続交換工程と、
を備える交換方法。
【発明の詳細な説明】
【技術分野】
【０００１】
本発明は、成端ユニット及びそれを用いた光配線の交換方法に関する。
【背景技術】
【０００２】
例えば下記特許文献１には、上下方向に沿って配列された複数のアダプタ群と、アダプタ群に接続される光ファイバコードを収容する配線収納部とを備える光配線盤が提案されている。配線収納部では、光ファイバコードが、挟持部材にて保持され、下方誘導湾曲部に沿って垂れ下がった後に上昇して懸架手段に懸架される。
【先行技術文献】
【特許文献】
【０００３】
【特許文献１】特開２０１２−５３０９８号公報
【発明の概要】
【発明が解決しようとする課題】
【０００４】
光通信システムの基地局等において用いられる光配線架は、複数の成端ユニット（特許文献１のアダプタ群）が上下方向に並ぶ複数の架部を備える。各成端ユニットが有する複数のアダプタには、複数の光配線が接続される。近年の光通信量の増大に伴い、このような光配線架では、多数のアダプタが、成端ユニットにおいて例えば上下方向及び左右方向に高密度で配列される。この場合、各成端ユニットの内部には、外部から導入された多心ケーブルに融着接続されて分岐した多数の光配線が収容されている。
【０００５】
このような多数の光配線のうち、ある光配線に不具合等が生じ、当該光配線を介した伝送路のみに接続障害が発生することがある。この場合、不具合が生じた光配線のみをアダプタから抜き出し、別の光配線を当該アダプタに挿入して上記接続障害を解消することは、煩雑且つ困難となっている。これは、成端ユニットの構造上、その内部に収容された多数の光配線から特定の光配線のみを外部に取り出すこと等が煩雑且つ困難だからである。
【０００６】
本発明は、光配線架において、筐体内の特定の光配線に起因した接続障害を容易に解消可能な成端ユニット及びそれを用いた光配線の交換方法を提供することを目的とする。
【課題を解決するための手段】
【０００７】
本発明の一側面に係る成端ユニットは、光配線架の架部に載置される成端ユニットであって、筐体と、筐体内に設けられ、光配線架の外部から導入される多心ケーブルに融着接続される複数の第１光配線と、筐体内にて一列に並んで設けられ、複数の第１光配線が筐体の内側から各々接続され、且つ、複数の第２光配線が筐体の外側から各々接続される複数のアダプタを有するアダプタ群と、複数のアダプタの配列方向において筐体とアダプタ群との間、及びアダプタ群内の少なくともいずれかに設けられ、少なくとも一本の光配線が通過可能な光配線通過部と、を備える。
【発明の効果】
【０００８】
本発明によれば、光配線架において、筐体内の特定の光配線に起因した接続障害を容易に解消可能な成端ユニット及びそれを用いた光配線の交換方法を提供できる。
【図面の簡単な説明】
【０００９】
【図１】図１は、実施形態に係る光配線架が一方向に沿って並んだ状態を示す図である。
【図２】図２は、図１を背面側から見た図である。
【図３】図３は、実施形態に係る光配線架を示す概略斜視図である。
【図４】図４は、実施形態に係る光配線架を示す背面図である。
【図５】図５（ａ）は、成端ユニットの正面側斜視図であり、図５（ｂ）は、成端ユニットの背面側斜視図である。
【図６】図６は、成端ユニットの内部の一部を示す図である。
【図７】図７は、架部において最も下方に位置する成端ユニットを示す図である。
【図８】図８は、図６の一部を拡大した図である。
【図９】図９は、一部のアダプタにおいてコネクタ付き光ファイバ心線と異なる光配線が筐体の内側から光接続されている状態を示す図である。
【図１０】図１０は、光配線収容部に光配線束の余長部分が収容されている状態を示す写真である。
【図１１】図１１は、クロスコネクト用光配線が敷設されている例を示す図である。
【図１２】図１２は、光配線ガイドの拡大斜視図である。
【図１３】図１３は、光配線ガイドの要部拡大図である。
【図１４】図１４は、第１区分け部材の要部拡大図である。
【図１５】図１５は、側板側から方向Ｙに沿って見た光配線収容部の模式図である。
【図１６】図１６は、成端ユニットの内部に収容された光配線の交換方法を説明するためのフローチャートである。
【図１７】図１７は、実施形態の変形例に係る成端ユニットの内部の一部を示す図である。
【発明を実施するための形態】
【００１０】
［本願発明の実施形態の説明］
最初に本発明の実施形態の内容を列記して説明する。
【００１１】
本発明の一実施形態は、光配線架の架部に載置される成端ユニットであって、筐体と、筐体内に設けられ、光配線架の外部から導入される多心ケーブルに融着接続される複数の第１光配線と、筐体内にて一列に並んで設けられ、複数の第１光配線が筐体の内側から各々接続され、且つ、複数の第２光配線が筐体の外側から各々接続される複数のアダプタを有するアダプタ群と、複数のアダプタの配列方向において筐体とアダプタ群との間、及びアダプタ群内の少なくともいずれかに設けられ、少なくとも一本の光配線が通過可能な光配線通過部と、を備える成端ユニットである。
【００１２】
この成端ユニットは、複数のアダプタの配列方向において筐体とアダプタ群との間、及びアダプタ群内の少なくともいずれかに設けられ、少なくとも一本の光配線が通過可能な光配線通過部を備えている。このため、例えば、筐体内に設けられる複数の第１光配線において特定の第１光配線に起因して接続障害が発生したとき、特定の第１光配線に対する交換用の光配線を、第２光配線と同じ側から光配線通過部を介して筐体内に容易に収容させることができる。これにより、特定の第１光配線をアダプタから抜き出し、上記交換用の光配線を当該アダプタに挿入することができる。したがって、上記成端ユニットを用いることによって、光配線架においては、筐体内の特定の光配線に起因した接続障害が容易に解消可能になる。
【００１３】
光配線通過部は、配列方向においてアダプタ群を挟むように複数設けられてもよい。この場合、交換する第１光配線から離れた光配線通過部に交換用の光配線を通過させることによって、筐体内における交換用の光配線が許容曲げ変形を超えて曲げることを抑制できる。このため、交換用の光配線において筐体内に収容された部分の折損を抑制できる。
【００１４】
光配線通過部は、配列方向における筐体とアダプタ群との間、及びアダプタ群内の両方に設けられてもよい。この場合、交換する第１光配線から離れた光配線通過部に交換用の光配線を通過させることによって、筐体内における交換用の光配線が許容曲げ変形を超えて曲げることを抑制できる。このため、交換用の光配線において筐体内に収容された部分の折損を抑制できる。
【００１５】
筐体内にて、複数の第１光配線の心線部分を保護するカバーシートをさらに備えてもよい。この場合、交換用光配線によって複数の第１光配線が折損することを抑制できる。
【００１６】
上記成端ユニットを用いた光配線の交換方法は、光配線架の外部にて、複数の第１光配線のいずれかに接続されている多心ケーブルの心線を切断し、切断された心線の切断面を交換用光配線に融着接続する融着接続工程と、交換用光配線の先端部を、光配線通過部を介して筐体内に収容する収容工程と、融着接続工程にて断線する第１光配線をアダプタから抜き出した後、交換用光配線の先端部を当該アダプタに挿入する接続交換工程と、を備える。この交換方法によれば、上記融着接続工程、上記収容工程及び上記接続交換工程を実施することによって、上記融着接続工程にて断線する第１光配線をアダプタから抜き出し、上記融着接続工程にて心線に接続される交換用光配線を、第２光配線と同じ側から光配線通過部を介して筐体内に収容し、上記アダプタに挿入することができる。これにより、光配線架においては、筐体内の特定の光配線に起因した接続障害が容易に解消可能になる。
【００１７】
［本願発明の実施形態の詳細］
以下、添付図面を参照して、本発明の好適な実施形態について詳細に説明する。なお、以下の説明において、同一要素または同一機能を有する要素には、同一符号を用いることとし、重複する説明は省略する。
【００１８】
図１は、本実施形態に係る光配線架が一方向に沿って並んだ状態を示す図であり、図２は、図１を背面側から見た図である。図３は、本実施形態に係る光配線架を示す概略斜視図であり、図４は、本実施形態に係る光配線架を示す背面図である。図１〜図４においては、全ての光ファイバケーブル（光配線）が省略されている。以下では、複数の光配線架１が並ぶ方向を方向Ｘ（左右方向）とし、水平方向において方向Ｘと交差（例えば直交）する方向を方向Ｙ（前後方向）とし、方向Ｘ及び方向Ｙと交差（例えば直交）する方向を方向Ｚ（上下方向）とする。
【００１９】
図１〜図４に示される光配線架１は、データセンター等において光ファイバケーブルを成端処理する際に用いられる装置であり、例えばFDF：Fiber  Distributing  Frameとも呼称される。光配線架１には、多心の光配線を引き留め、接続点を収容する成端ユニット２（詳細は後述する）が載置されている。光配線架１では、成端ユニット２に光接続される多心ケーブルが、複数の光配線に分割及び整線される。なお、多心ケーブルは、数十本〜数百本の心線を有する光配線である。本実施形態では、多心ケーブルは、２８８本の心線を有する。
【００２０】
次に、光配線架１の具体的な構造について説明する。光配線架１は、台座となる下枠部１ａと、下枠部１ａから方向Ｚに沿って延びる一対の鉛直枠部１ｂ，１ｃと、鉛直枠部１ｂ，１ｃの頂面上に設けられる上枠部１ｄとから構成されており、枠状の外形を有している。光配線架１は、架部１１と、光配線収容部１２と、仕切り板１３と、側板１４と、複数のレール１５と、トレイ１６ａ，１６ｂと、複数の光配線ガイド１７と、複数の第１区分け部材１８と、第２区分け部材１９とを備えている。
【００２１】
架部１１は、方向Ｚに沿って並んでいる複数の成端ユニット２が載置される部分である。架部１１には、例えば図示しない複数の棚板が上下方向に沿って設けられており、各棚板上に成端ユニット２が載置される。
【００２２】
ここで、図５〜図７を用いて、成端ユニット２の機能及び構造について説明する。図５（ａ）は、成端ユニット２の正面側斜視図である。図５（ｂ）は、成端ユニット２の背面側斜視図である。図６は、成端ユニット２の内部の一部を示す図である。図７は、架部１１において最も下方に位置する成端ユニット２を示す図である。図５（ａ），（ｂ）及び図６に示されるように、成端ユニット２は、略直方体形状を呈する筐体３と、筐体３の後端側に設けられる第１外部接続部４と、第１外部接続部４を覆う蓋部５と、方向Ｙにおける成端ユニット２の前端側に設けられる第２外部接続部６と、筐体３内に設けられる複数のコネクタ付き光ファイバ心線８（第１光配線）と、筐体３内に設けられるカバーシート９とを備えている。
【００２３】
第１外部接続部４は、例えば融着架等から延在する多心ケーブルが導入される部分であり、当該多心ケーブルが成端ユニット２に光接続される部分である。第１外部接続部４は、光配線同士が融着された箇所を収容する融着トレイ４ａを有している。融着トレイ４ａ内では、ケーブル収容部７に収容される多心ケーブル７ｃの光ファイバ心線Ｃ１、及びケーブル収容部７に収容されていない多心ケーブル（以下、現地融着ケーブル１３ｃと呼称する。）の光ファイバ心線Ｃ２のいずれか一方と、複数のコネクタ付き光ファイバ心線８の一端とが、融着により光接続されている。本実施形態では、最も下方に位置する成端ユニット２以外の成端ユニット２には、多心ケーブル７ｃに収容される光ファイバ心線Ｃ１が第１外部接続部４内に導入されている。一方、最も下方に位置する成端ユニット２は、図７に示されるように、現地融着ケーブル１３ｃに収容される光ファイバ心線Ｃ２が第１外部接続部４内に導入されている。上記融着は、成端ユニット２が架部１１に載置された後に実施されてもよいし、成端ユニット２が架部１１に載置される前に実施されてもよい。本実施形態では、最も下方に位置する成端ユニット２においては、当該成端ユニット２が架部１１に載置された後に上記融着が実施される。
【００２４】
蓋部５は、第１外部接続部４を覆う蓋である。蓋部５は、着脱可能に筐体３に取り付けられている。
【００２５】
第２外部接続部６は、複数のコネクタ付き光ファイバ心線８の他端と、外部装置等（例えば、サーバ）に接続される光配線Ｃ３（第２光配線）の束（以下、光配線束Ｗｂと呼称する）とを光接続させる部分である。第２外部接続部６は、互いに積層された複数のアダプタ群２１と、各アダプタ群２１を区分けすると共に保護する複数のトレイ２２とを備えている。各アダプタ群２１は、複数のコネクタ付き光ファイバ心線８と、複数の光配線Ｃ３とをそれぞれ光接続するための複数のアダプタ２３を有している。光配線束Ｗｂを構成する各光配線Ｃ３は、筐体３の外側（方向Ｙにおける各アダプタ２３の一端側）から接続されている。複数のコネクタ付き光ファイバ心線８は、筐体３の内側（方向Ｙにおける各アダプタ２３の他端側）から接続されている。各アダプタ群２１に含まれる複数のアダプタ２３は、トレイ２２上において方向Ｘに沿って一列に並んでいる。したがって、方向Ｘは複数のアダプタ２３の配列方向とも言える。
【００２６】
各トレイ２２は、対応するアダプタ群２１の下側に位置すると共に、当該アダプタ群２１と一体化している。各トレイ２２は、前後方向に沿ってスライド（引き出し）可能に設けられている。このため、トレイ２２のスライド動作に連動して、対応するアダプタ群２１が引き出される。トレイ２２は、各アダプタ２３における一端側（複数の光配線Ｃ３が接続される外側の接続端側）を保護するカバー部２４と、カバー部２４を支持する支持部２５，２７とを有している。カバー部２４は、ＸＹ平面に沿って延びる略四角形の板状部分と、該部分の前端縁に設けられ、ＺＸ平面に沿って延びる板状部分とを含んでいる。カバー部２４は、方向Ｘにおいてカバー部２４と並んで設けられた支持部２５，２７に係止されて支えられている。また、カバー部２４の後端は、方向Ｘに沿って延びる軸を支軸として回動可能になっている。このため、アダプタ２３の他端側から一端側へ向かう方向（すなわち前方）にトレイ２２をスライドさせ、且つ、カバー部２４に対する支持部２５，２７の係止状態を解除することにより、当該カバー部２４を下方に回動させることができる。一例では、カバー部２４の回動角は９０°である。これにより、引き出されたアダプタ２３における外側の接続端の周辺に位置するカバー部２４を移動させることができるので、当該接続端に光配線Ｃ３を接続させやすくなる。なお、トレイ２２を前方にスライドさせた際、アダプタ２３の外側の接続端に接続される光配線Ｃ３の光コネクタは、成端ユニット２の前端面から前方に突出していてもよい。また、トレイ２２が前方にスライドされたとき、アダプタ２３が着脱可能に設けられてもよい。
【００２７】
また、トレイ２２は、支持部２７と一体に設けられた支持部２６を更に有する。支持部２６は、カバー部２４との間に支持部２７を挟む位置に設けられている。支持部２６は、アダプタ群２１に対して光配線収容部１２側に位置し、アダプタ群２１から延出された光配線束Ｗｂを支持する。一例では、支持部２６は平板状であり、方向Ｚから見て略扇型といった平面形状を有する。支持部２６は、その板面上に光配線束Ｗｂを載置する。また、支持部２６は、光配線束Ｗｂを支持部１３ｂ（後述、図３参照）に向けて誘導する部分であるガイド２６ａを有する。ガイド２６ａは、支持部２６の外縁に沿って設けられた壁状部分であり、光配線束Ｗｂが支持部２６から脱落することを防ぐ。
【００２８】
ガイド２６ａにおける支持部１３ｂに近い側の部分２６ｂは、トレイ２２に近づく方向、即ち方向Ｙに対して方向Ｘの負側に僅かに傾く方向に向かっていることが好ましい。更には、当該部分２６ｂの方向Ｙからの傾き角度は、５°〜３０°であることが好ましい。上記傾き角度を５°以上とすることで、光配線束Ｗｂを支持部１３ｂに向けてより誘導しやすくなる。上記傾き角度を３０°以下とすることで、過度な傾きとせずに光配線束Ｗｂを方向Ｙに沿った方向へ誘導し易くすることができる。
【００２９】
第２外部接続部６には、光配線Ｃ３以外の光配線が筐体３の外側（すなわち、アダプタ２３の一端側）から光接続されてもよい。例えば、互いに異なる成端ユニット２同士を接続するための光配線（クロスコネクト用光配線）が光接続されてもよい。互いに異なる成端ユニット２の組み合わせは、１つの光配線架１に載置された異なる成端ユニット２の組み合わせでもよいし、ある光配線架１に載置された成端ユニット２と、他の光配線架１に載置された成端ユニット２との組み合わせでもよい。
【００３０】
第２外部接続部６には、コネクタ付き光ファイバ心線８以外の光配線が筐体３の内側（すなわち、アダプタ２３の他端側）から光接続されてもよい。例えば、特定のコネクタ付き光ファイバ心線８の光コネクタ８ａ等が故障し、当該特定のコネクタ付き光ファイバ心線８を介した伝送路に接続障害が生じた場合、故障したコネクタ付き光ファイバ心線８以外の光配線（交換用光配線）が筐体３の内側から光接続される。ここで、コネクタ付き光ファイバ心線８以外の光配線が筐体３の内側から光接続される態様の一例を、図８及び図９を用いながら説明する。図８は、図６の一部を拡大した図である。図９は、一部のアダプタ２３においてコネクタ付き光ファイバ心線８と異なる光配線が筐体３の内側から光接続されている状態を示す図である。
【００３１】
図６、図８、及び図９に示されるように、方向Ｘにおいて筐体３とアダプタ群２１との間には、少なくとも一本の光配線Ｃ４が通過可能な光配線通過部２８が設けられている。光配線通過部２８は、光配線Ｃ４が通過可能に画成された空間または溝であり、方向Ｘにおいてアダプタ群２１を挟むように複数設けられている。具体的には、光配線通過部２８は、方向Ｘにおいてアダプタ群２１の両外側に一カ所ずつ設けられている。通過する光配線の破損を防ぐ観点から、光配線通過部２８の方向Ｘ，Ｚにおける寸法は、通過する光配線の最大寸法（例えば、通過する光配線に接続されるコネクタの最大寸法）よりも大きければよい。図９に示されるように、方向Ｘにおいて支持部２５側に設けられる光配線通過部２８には、２本の光配線Ｃ４が通過している。
【００３２】
各光配線Ｃ４は、光配線通過部２８を介して筐体３の内部に導入され、故障したコネクタ付き光ファイバ心線８の代わりにアダプタ２３に光接続される単心の光ファイバケーブルである。各光配線Ｃ４の心線部分は、光配線Ｃ３等と同様に、樹脂等によって保護されている。光配線Ｃ４において筐体３の内部に収容されている先端部のコネクタ６１は、方向Ｘにおいて最も支持部２７側に位置するアダプタ２３に光接続されている。筐体３の外側における光配線Ｃ４は、支持部２６にて光配線束Ｗｂと共に束ねられる。光配線架１の外部にて、光配線Ｃ４は、多心ケーブル７ｃの光ファイバ心線Ｃ１に含まれる特定の心線に光接続されている。この特定の心線は、光ファイバ心線Ｃ１に含まれる心線の中で、故障したコネクタ付き光ファイバ心線８に接続されていた心線であり、光配線架１の外部にて切断された心線である。光配線Ｃ４は、光配線架１の外部にて、上記特定の心線の切断面に融着している。したがって、図９に示される、アダプタ２３に接続されていない光コネクタ８ａを有するコネクタ付き光ファイバ心線８は、光配線架１の外部にて断線している。
【００３３】
上述したように、各光配線Ｃ４は、支持部２５側の光配線通過部２８を介して筐体３の内部に導入され、最も支持部２７側に位置するアダプタ２３に光接続されている。これにより、各光配線Ｃ４において筐体３に収容される部分が、許容曲げ半径を超えて曲がることを抑制できる。このように本実施形態では、各光配線Ｃ４は、接続されるアダプタ２３から離れた光配線通過部２８を介して筐体３に挿入される。
【００３４】
ケーブル収容部７は、多心ケーブル７ｃが収容される領域であり、筐体３の左側であって支持部２６と反対側もしくは同じ側面に設けられている。図３に示されるように、光配線収容部１２内での光配線束Ｗｂの配線作業性向上の観点から、多心ケーブル７ｃは、架部１１を挟んで光配線収容部１２の反対側に配置されることが好ましい。
【００３５】
コネクタ付き光ファイバ心線８は、単心の光ファイバケーブルの集合体である。コネクタ付き光ファイバ心線８の一端は、束ねられて融着トレイ４ａ内に収容されており、上述したように多心ケーブル７ｃに収容される光ファイバ心線Ｃ１に融着されている。また、コネクタ付き光ファイバ心線８の他端には光コネクタ８ａが設けられており、当該光コネクタ８ａはアダプタ２３の他端側に接続されている。通常この部分の各コネクタ付き光ファイバ心線８は、光ファイバケーブルから取り出されて外周被覆の一部が取り除かれた状態の素線であり、光配線Ｃ４よりも耐折損強度が低い。
【００３６】
カバーシート９は、コネクタ付き光ファイバ心線８の心線部分を保護する透明又は有色のプラスチックシートである。カバーシート９は、可撓性を有しており、筐体３内にてコネクタ付き光ファイバ心線８の分岐した部分の大部分を覆っている。光配線Ｃ４等が光配線通過部２８を介して外部から筐体３の内部に導入される場合、筐体３内に収容された光配線Ｃ４等は、カバーシート９の上に配置される。これにより、光配線Ｃ４等がコネクタ付き光ファイバ心線８に直接接触することを防ぎ、光配線Ｃ４等に起因したコネクタ付き光ファイバ心線８の破損を抑制できる。なお、カバーシート９は、カバーシート９を通して下部のコネクタ付き光ファイバ心線８等が視認できるように、透明または半透明であることが好ましい。また、カバーシート９の材質は、例えばプラスチックが挙げられるが、これに限られない。
【００３７】
図１〜図４に戻って、光配線収容部１２は、方向Ｘにおいて架部１１の隣に位置し、成端ユニット２に接続される光配線束Ｗｂ（図６を参照）の余長部分を収容する。光配線収容部１２では、複数の光配線束Ｗｂのそれぞれが、複数の第１区分け部材１８及び第２区分け部材１９によって区分けされている。図１０は、光配線収容部１２に光配線束Ｗｂの余長部分が収容されている状態を示す写真である。図１０に示されるように、光配線束Ｗｂの余長部分は、例えばＵ字形状を呈するように垂れた状態で収容される。なお、光配線収容部１２には、光配線Ｃ４の余長部分も光配線束Ｗｂと同様に収容されてもよい。
【００３８】
仕切り板１３は、方向Ｙにおいて光配線収容部１２を前後に仕切るように設けられる板状部材である。仕切り板１３は、例えば下枠部１ａ、鉛直枠部１ｂ、及び上枠部１ｄによって固定されている。仕切り板１３には、複数の開口１３ａと、複数の薄板状の支持部１３ｂ（第２支持部）と、ケーブル収容部１３ｘとが設けられている。複数の開口１３ａは、例えば光配線が仕切り板１３の表面（おもてめん）側から裏面側に向かう、もしくは当該光配線が仕切り板１３の裏面側から表面側に向かうために設けられている。複数の開口１３ａは、方向Ｚに沿って一列に並ぶように設けられている。
【００３９】
支持部１３ｂは、対応する成端ユニット２の支持部２６（図６参照）から光配線収容部１２へ延在する光配線束Ｗｂを支持する板状部材である。支持部１３ｂは、支持部２６に対し方向Ｙに沿って並んで設けられており、本実施形態では支持部２６の後方に設けられている。支持部１３ｂは、トレイ２２とは別体であり、トレイ２２のスライド動作とは連動しない。一例では、支持部１３ｂは仕切り板１３の表面に取り付けられている。支持部１３ｂは、開口１３ａよりも架部１１側に設けられている。光配線束Ｗｂによるトレイ２２のスライド動作の阻害を防ぐ観点から、支持部１３ｂ上には、光配線束Ｗｂの余長部分が設けられる。
【００４０】
支持部１３ｂは、光配線束Ｗｂが置かれる平坦面を有しており、光配線束Ｗｂを伸曲自在に支持する。また、支持部１３ｂは平板状であるため、支持部１３ｂの平坦面は、支持部１３ｂの光配線収容部１２側の縁まで延びている。言い換えると、支持部１３ｂの光配線収容部１２側の縁には、支持部２６のガイド２６ａのような壁状部分が設けられていない。
【００４１】
再び図１〜図４に戻って、ケーブル収容部１３ｘは、現地融着ケーブル１３ｃを収容する領域であり、例えば固定部材１３ｄを介して仕切り板１３の裏面に取り付けられている。ケーブル収容部１３ｘは、例えば上枠部１ｄに設けられた開口１ｅを介して、下枠部１ａ付近から上枠部１ｄを超えるように方向Ｚに沿って延在している。
【００４２】
側板１４は、方向Ｘにおいて光配線架１同士を仕切るように設けられる板状部材である。側板１４は、光配線収容部１２を挟んで架部１１の反対側に位置しており、下枠部１ａと、鉛直枠部１ｂもしくは仕切り板１３とに固定されている。
【００４３】
複数のレール１５は、仕切り板１３の裏側に敷設される光配線をガイドする部材である。複数のレール１５のそれぞれは、方向Ｘに沿って延在する略Ｕ字溝形状を呈している。各レール１５の一端は鉛直枠部１ｂに取り付けられており、各レール１５の他端は鉛直枠部１ｃに取り付けられている。レール１５の上記一端と上記他端とは、互いに連結可能な形状を有している。このため、光配線架１を方向Ｘに沿って並べた場合、隣り合う光配線架１のレール１５同士を連結できる。また、方向Ｙにおいて、仕切り板１３及びケーブル収容部１３ｘとレール１５とは互いに離間している。このため、レール１５上に敷設される光配線と、ケーブル収容部１３ｘ内の現地融着ケーブル１３ｃに収容される光ファイバ心線Ｃ２との接触を好適に抑制できる。
【００４４】
レール１５は、方向Ｘに沿って延在している主部１５ａと、主部１５ａから分岐して延在している分岐部１５ｂと、主部１５ａの一部が分断している分断部１５ｃとを有している。分岐部１５ｂは、主部１５ａから対応する開口１３ａに向かって方向Ｙに沿って延在している部分である。分断部１５ｃは、方向Ｚに沿って一列に並ぶように、仕切り板１３を挟んで光配線収容部１２の裏側に設けられている。主部１５ａにおいて分断部１５ｃを形成する部分は、下枠部１ａに向かうように湾曲している。このような分断部１５ｃが形成されることにより、仕切り板１３の裏側に位置する光配線（例えば、クロスコネクト用光配線）を、複数のレール上に敷設可能にすると共に、当該光配線の余長部分を設けることができる。換言すると、仕切り板１３を挟んだ光配線収容部１２の後側には、光配線束Ｗｂ内の光配線Ｃ３とは異なる光配線の余長部分が収容される収容部Ｓ（第２光配線収容部）が設けられ得る。
【００４５】
トレイ１６ａ，１６ｂは、仕切り板１３の裏側に位置する光配線の余長部分を載せる部材であり、仕切り板１３の裏面に取り付けられている。トレイ１６ａは、方向Ｚにおいて最も下枠部１ａに近いレール１５の分断部１５ｃと、下枠部１ａとの間に設けられている。このため、トレイ１６ａには、分断部１５ｃにて設けられる光配線の余長部分が載置可能になっている。また、トレイ１６ｂは、方向Ｚにおいてケーブル収容部１３ｘの下方領域と、下枠部１ａとの間に設けられている。このため、トレイ１６ｂには、ケーブル収容部１３ｘから成端ユニット２へ延在する現地融着ケーブル１３ｃに収容される光ファイバ心線Ｃ２の余長部分が載置可能になっている。
【００４６】
図１１は、クロスコネクト用光配線が敷設されている例を示す図である。図１１に示される光配線架１において、方向Ｘにおいて最も端に位置する架を光配線架１Ａとし、光配線架１Ａに隣り合う架を光配線架１Ｂとする。図１１には、レール１５上に敷設されるクロスコネクト用光配線Ｃ１１〜Ｃ１３が示されている。クロスコネクト用光配線Ｃ１１は、光配線架１Ａの異なる成端ユニット２同士を光接続している。具体的には、クロスコネクト用光配線Ｃ１１は、光配線架１Ａにおいて最も上方に位置する成端ユニット２の第２外部接続部６と、光配線架１Ａにおいて上から７番目に位置する成端ユニット２の第２外部接続部６とを光接続している。光配線架１Ａの収容部Ｓには、クロスコネクト用光配線Ｃ１１の余長部分が形成されている。また、クロスコネクト用光配線Ｃ１２，Ｃ１３は、光配線架１Ａに載置された成端ユニット２と、光配線架１Ｂに載置された成端ユニット２とを光接続している。具体的には、クロスコネクト用光配線Ｃ１２は、光配線架１Ａにおける上から２番目の成端ユニット２と、光配線架１Ｂにおける上から５番目の成端ユニット２とを光接続している。一方、クロスコネクト用光配線Ｃ１３は、光配線架１Ａにおける下から２番目の成端ユニット２と、光配線架１Ｂにおける下から４番目の成端ユニット２とを光接続している。光配線架１Ｂの収容部Ｓでは、クロスコネクト用光配線Ｃ１２の余長部分が形成されている。また、光配線架１Ａのトレイ１６ａ上には、クロスコネクト用光配線Ｃ１３の余長部分が載置されている。
【００４７】
図１〜図４に戻って、複数の光配線ガイド１７は、成端ユニット２の第２外部接続部６に接続される光配線を光配線収容部１２に導く部材であり、支持部１３ｂと光配線収容部１２との間における仕切り板１３の表面に取り付けられている。光配線ガイド１７は、成端ユニット２に対応するように方向Ｚに沿って並んでいる。ここで、図１２及び図１３を用いて、光配線ガイド１７の構造について説明する。図１２は、光配線ガイド１７の拡大斜視図であり、図１３は、光配線ガイド１７の一部を抜き出した図である。図１２及び図１３に示されるように、光配線ガイド１７は、光配線収容部１２に向かう光配線Ｃ３（例えば、光配線束Ｗｂ）を収容するガイド部３２（第１ガイド部）と、仕切り板１３の開口１３ａを通過する光配線（例えば、第２光配線であるクロスコネクト用光配線）を収容するガイド部３１（第２ガイド部）と、光配線Ｃ３の方向Ｚにおける動きを規制する規制部３３とを備えている。
【００４８】
ガイド部３１は、仕切り板１３の表面に取り付けられる部分である。より具体的には、ガイド部３１は、仕切り板１３において、対応する開口１３ａ近傍の表面に取り付けられる部分である。ガイド部３１は、方向Ｙに沿って延在する略Ｕ字溝形状を呈している。ガイド部３１は、底部３１ａと、架部１１側に位置する側壁部３１ｂと、光配線収容部１２側に位置する側壁部３１ｃとを有している。ガイド部３１において側壁部３１ｂの少なくとも一部は、切り欠かれている。また、ガイド部３１において側壁部３１ｂが設けられない底部３１ａからは、方向Ｘに沿って架部１１側に延在するスロープ部３１ｄが設けられている。スロープ部３１ｄは、方向Ｘにおいて底部３１ａから架部１１に向かうにつれて下方に湾曲している。側壁部３１ｂにおける前方の端部には、第２光配線をガイド部３１へガイドするように湾曲した、光配線の位置を規制する湾曲板３１ｅが設けられている。湾曲板３１ｅは、方向Ｚから見て前方側に向かって湾曲した板状部材である。方向Ｚから見た湾曲板３１ｅの曲率半径は、例えばガイド部３１によってガイドされる光配線の許容曲げ半径よりも大きい。この場合、光配線における湾曲板３１ｅに当接する部分が許容曲げ半径を超えて屈曲し、破損することを防止できる。
【００４９】
各ガイド部３１の方向Ｙにおける長さは、一定ではなく、変化している。具体的には、方向Ｚにおいて下方に設けられる光配線ガイド１７ほど、ガイド部３１の方向Ｙにおける寸法が長くなっている。例えば、ガイド部３２が方向Ｚにおいて互いに重ならないように、各ガイド部３１の方向Ｙにおける寸法が調整されている。
【００５０】
ガイド部３２は、方向Ｙにおけるガイド部３１の先端に設けられている部分であり、ガイド部３１と交差するように延在する略Ｕ字溝形状を呈している。ガイド部３２は、底部３２ａと、ガイド部３１側に位置する側壁部３２ｂ（壁部）と、底部３２ａを介して側壁部３２ｂの反対側に位置する側壁部３２ｃとを有している。底部３２ａは、方向Ｙから見て上側に向かって湾曲している。方向Ｙから見た底部３２ａの曲率半径は、例えば光配線束Ｗｂ内の光配線の許容曲げ半径よりも大きい。側壁部３２ｂは、ガイド部３１とガイド部３２とを仕切るように設けられている。具体的には、側壁部３２ｂは、底部３１ａ，３２ａを仕切るだけでなく、スロープ部３１ｄと底部３２ａとを仕切るように設けられている。側壁部３２ｂ，３２ｃは、底部３２ａの形状に沿って設けられており、互いに略同一形状である。側壁部３２ｂの架部１１側にはスリット３２ｄが設けられており、側壁部３２ｃの光配線収容部１２側にはスリット３２ｅが設けられている。同様に、側壁部３２ｃの架部１１側にはスリット３２ｆが設けられており、側壁部３２ｃの光配線収容部１２側にはスリット３２ｇが設けられている。スリット３２ｄ，３２ｆは、方向Ｙにおいて対向するように設けられ、スリット３２ｅ，３２ｇは、方向Ｙにおいて対向するように設けられている。
【００５１】
規制部３３，３４のそれぞれは、ガイド部３２に収容されている光配線束Ｗｂの方向Ｚにおける動きを規制する部材である。規制部３３は、スリット３２ｄ，３２ｆに収容されるように設けられており、略四角枠形状を呈している。規制部３３は、略Ｕ字形状を呈する本体部３３ａと、本体部３３ａの上端に取り付けられる棒状部材３３ｂとを有している。本体部３３ａは、方向Ｘから見て略Ｕ字形状を呈するように、スリット３２ｄ，３２ｆに収容されている。棒状部材３３ｂの一端は、本体部３３ａにおける一方の上端部に回動可能に取り付けられており、棒状部材３３ｂの他端は、本体部３３ａにおける他方の上端部に係止されている。例えば、棒状部材３３ｂの他端が本体部３３ａにおける他方の上端部に設けられた溝に挿入されることによって、規制部３３が枠形状を構成する。規制部３３は、ガイド部３２に固定されるための手段（例えば、爪部等）を有していることが好ましい。なお、規制部３４は、規制部３３と同様の機能及び形状を有しており、スリット３２ｅ，３２ｇに収容されている。このため、規制部３４は、略Ｕ字形状を呈する本体部３４ａと、本体部３４ａの上端に取り付けられる棒状部材３４ｂを有している。方向Ｚにおける光配線束Ｗｂの動きが規制されることにより、光配線束Ｗｂが方向Ｘ及び方向Ｙに沿うこととなり、その結果、ガイド部３２に沿う方向の光配線束Ｗｂの動きが規制される。
【００５２】
ここで、規制部３３の使用方法例を説明する。まず、規制部３３における本体部３３ａをスリット３２ｄ，３２ｆ内に収容する。次に、本体部３３ａの底部上に光配線束Ｗｂを収容する。このとき、棒状部材３３ｂの他端の本体部３３ａへの係止状態を解除しておくことによって、光配線束Ｗｂを本体部３３ａに容易に収容できる。次に、棒状部材３３ｂを本体部３３ａに係止する。これにより、光配線束Ｗｂが規制部３３により画成される空間内に収容され、当該光配線束Ｗｂの方向Ｚにおける動きを規制できる。なお、規制部３４は、規制部３３と同様の手法にて用いればよい。
【００５３】
規制部は、１つでもよいが、少なくとも２つあるとより好ましい。光配線束Ｗｂに光配線を追加する、或いは減らす場合、規制部を解放した際に既に収容されている光配線束Ｗｂが自重で移動して不測の応力がかからないように、光配線束Ｗｂを保持しておくことが望ましい。このような場合に規制部が少なくとも２つあれば、一の規制部を解放しても他を解放しなければ引き続き光配線束Ｗｂは保持され続けることができる。例えば、規制部が２つある場合、一方の規制部を外して一部の光配線を一方の規制部から外した後に、当該一方の規制部を係止して光配線束Ｗｂを保持し、次いで他方の規制部を外して当該一部の光配線を他方の規制部から外すことで、当該一部の光配線を光配線束Ｗｂから分離することができる。一方、分離しようとする光配線を除く光配線束Ｗｂは係止された状態を保ち続けるため、不測の応力を加えずに済む。光配線を追加する際には、上記とは逆の手順で、一方の規制部を外し、追加すべき光配線も含めて光配線束Ｗｂを一方の規制部で係止した後、他方の規制部の係止を解除し、追加すべき光配線も含めて光配線束Ｗｂを他方の規制部で係止すればよい。
【００５４】
図１４は、第１区分け部材の一部を抜き出した図である。図１５は、側板１４側から方向Ｙに沿って見た光配線収容部１２の模式図である。図１０にも示されるように、図１５に示される各第１区分け部材１８は、光配線収容部１２内における光配線束Ｗｂの位置を区分けする部材である。複数の第１区分け部材１８は、光配線ガイド１７に対応するように、光配線収容部１２内にて方向Ｚに沿って並んで設けられている。図１５に示されるように、方向Ｚにおいて下方に設けられる第１区分け部材１８ほど、光配線ガイド１７と同様に、方向Ｙにおいて前方に位置している。各第１区分け部材１８は、仕切り板１３の表面に取り付けられる第１区分け体４１と、側板１４に取り付けられる第２区分け体５１とを有している。
【００５５】
第１区分け体４１は、光配線収容部１２内に収容される光配線束Ｗｂにおいて、光配線ガイド１７から光配線収容部１２に導入される部分を区分けする部分である。第１区分け体４１は、例えば第１棒状部材４２及び第２棒状部材４３によって構成されている。第１棒状部材４２は、ねじ等の締結部材を介して仕切り板１３の表面に締結されるフランジ部４２ａと、方向Ｘにおいてフランジ部４２ａの側板１４側の端から方向Ｙに沿って延在する中間部４２ｂと、中間部４２ｂの前方先端から方向Ｙに交差すると共に側板１４に向かって延びる区分け部４２ｃ（一方の第１区分け棒）とを有している。フランジ部４２ａと、中間部４２ｂと、区分け部４２ｃとは、例えば棒形状を呈する部材を屈曲することによって設けられる。フランジ部４２ａは、対応する光配線ガイド１７の下方に締結されている。方向Ｚにおいて下方に設けられる中間部４２ｂほど、方向Ｙに沿った寸法が長くなっている。本実施形態では、区分け部４２ｃは、方向Ｘに沿って延在している。
【００５６】
第２棒状部材４３は、中間部４２ｂに接合されるフランジ部４３ａと、フランジ部４３ａにおける区分け部４２ｃ側の端から方向Ｙに交差する方向に延びる区分け部４３ｂ（他方の第１区分け棒）とを有している。フランジ部４３ａと区分け部４３ｂとは、例えば棒形状を呈する部材を屈曲することによって設けられる。フランジ部４３ａは、例えば接着剤等を介して、中間部４２ｂの側板１４に対向する面に接合される。区分け部４３ｂは、方向Ｙにおいて区分け部４２ｃよりも仕切り板１３側に位置しており、方向Ｙにおいて区分け部４２ｃに離間している。
【００５７】
第１区分け体４１は、対応する光配線ガイド１７のガイド部３２における光配線収容部１２側の先端に連続的に接続されている。より具体的には、図１２に示されるように、区分け部４２ｃは、側壁部３２ｃの光配線収容部１２側の先端に連続的に接続されており、区分け部４３ｂは、側壁部３２ｂの光配線収容部１２側の先端に連続的に接続されている。これにより、ガイド部３２と区分け部４２ｃ，４３ｂとが一体的に構成されるので、ガイド部３２によってガイドされた光配線束Ｗｂは、光配線収容部１２内で第１区分け体４１によって容易に区分けされる。
【００５８】
第２区分け体５１は、光配線収容部１２内に収容される光配線束Ｗｂを区分けする部分であり、方向Ｘにおいて第１区分け体４１に対向及び離間して設けられる。第２区分け体５１は、例えば棒形状を呈する部材を略Ｕ字状に屈曲することによって設けられる。第２区分け体５１は、側板１４に接合される基部５１ａと、方向Ｙにおける基部５１ａの一端から第１区分け体４１に向かって延在する区分け部５１ｂ（一方の第２区分け棒）と、方向Ｙにおいて基部５１ａの他端から第１区分け体４１に向かって延在する区分け部５１ｃ（他方の第２区分け棒）とを有している。基部５１ａは、例えばねじ等を介して側板１４に固定されている。基部５１ａの固定位置は、対応する第１区分け体４１の方向Ｙにおける位置によって調整される。
【００５９】
区分け部５１ｂ，５１ｃは、方向Ｙにおいて互いに離間して設けられる棒状部分である。区分け部５１ｂは、方向Ｙにおいて区分け部５１ｃよりも前方に位置している。区分け部５１ｂは、方向Ｘにおいて、第１棒状部材４２の区分け部４２ｃに対向及び離間して設けられる。また、区分け部５１ｃは、方向Ｘにおいて、第２棒状部材４３の区分け部４３ｂに対向及び離間して設けられる。なお、区分け部５１ｂは区分け部４２ｃの延長線上に設けられ、区分け部５１ｃは区分け部４３ｂの延長線上に設けられてもよい。
【００６０】
第２区分け部材１９は、複数の光配線束Ｗｂのそれぞれにおいて、光配線収容部１２から外部に延在する部分を区分けする部材である。第２区分け部材１９は、方向Ｙに沿って互いに離間して並んでいる複数の板状破片から構成される。第２区分け部材１９は、側板１４の上端付近に設けられる。
【００６１】
次に、成端ユニット２を、各アダプタ２３にコネクタ付き光ファイバ心線８が挿入されている状態（図６を参照）から、一部のアダプタ２３に光配線Ｃ４が筐体３の内側から挿入されている状態（図９を参照）にする光配線の交換方法の一例を、図１６を用いながら説明する。図１６は、成端ユニット２の内部に収容された光配線の交換方法を説明するためのフローチャートである。
【００６２】
図１６に示されるように、最初に、複数のコネクタ付き光ファイバ心線８の中から、交換すべきコネクタ付き光ファイバ心線８があるか否かを確認する（ステップＳ１０１）。ステップＳ１０１では、例えば光コネクタ８ａ等の破損によって接続障害が発生しているコネクタ付き光ファイバ心線８があるか否かを確認する。例えば、各光配線Ｃ３から出力される光信号をモニタすることによって、接続障害の有無を確認する。接続障害が発生しているコネクタ付き光ファイバ心線８がないと判断された場合（ステップＳ１０１：ＮＯ）、所定の期間をおいて再度ステップＳ１０１が実施される。
【００６３】
次に、接続障害が発生しているコネクタ付き光ファイバ心線８があると判断された場合（ステップＳ１０１：ＹＥＳ）、交換すべきコネクタ付き光ファイバ心線８を特定する（ステップＳ１０２）。ステップＳ１０２では、接続障害が発生しているコネクタ付き光ファイバ心線８を特定した後、光ファイバ心線Ｃ１のうち、当該特定のコネクタ付き光ファイバ心線８に接続されている心線を特定する。
【００６４】
次に、光配線架１の外部にて、光ファイバ心線Ｃ１の特定された心線を切断し、切断された当該心線の切断面を光配線Ｃ４に融着接続する（ステップＳ１０３、融着接続工程）。ステップＳ１０３では、まず、光ファイバケーブルカッタ等を用いて、光ファイバ心線Ｃ１のうち特定された心線を、光配線架１の外部にて切断する。当該心線において切断される部分は、最初から光配線架１の外部に位置する部分であって、融着架と切断面との間に破損箇所等を含まないように設定される。そして、融着接続機等を用いて、融着架から延在している心線の切断面と、光配線Ｃ４の一端とを融着接続する。なお、ステップＳ１０３では、光ファイバ心線Ｃ１のうち特定された心線以外は、切断されない。このため、当該特定された心線を除いて、光ファイバ心線Ｃ１とコネクタ付き光ファイバ心線８との光接続は維持されている。
【００６５】
次に、光配線Ｃ４の先端部を、光配線通過部２８を介して筐体３内に収容する（ステップＳ１０４、収容工程）。ステップＳ１０４ではまず、光配線束Ｗｂと同様に、光配線Ｃ４の余長部分を光配線収容部１２内に収容する。そして、光配線Ｃ４の先端部を支持部２６上に引き回し、光配線Ｃ３が設けられた筐体３の前端側から光配線通過部２８を通過させる。これにより、光配線Ｃ４の先端部を筐体３内に収容する。収容された光配線Ｃ４の先端部は、筐体３内にて余長部分を確保した上で収容される。なお、光配線Ｃ４の先端部は、光配線Ｃ４において光ファイバ心線Ｃ１のうち特定された心線に融着されていない端部（他端）であり、光配線Ｃ４においてコネクタ６１が取り付けられている部分である。
【００６６】
次に、ステップＳ１０３にて断線するコネクタ付き光ファイバ心線８をアダプタ２３から抜き出した後、光配線Ｃ４の先端部を当該アダプタ２３に挿入する（ステップＳ１０５、接続交換工程）。ステップＳ１０５では、まず、切断されたコネクタ付き光ファイバ心線８の光コネクタ８ａをアダプタ２３から抜き出す。そして、アダプタ２３において開放された接続部に光配線Ｃ４のコネクタ６１を挿入する。以上により、接続障害が生じている光配線を交換することによって、当該接続障害が解消される。なお、切断されたコネクタ付き光ファイバ心線８は、筐体３の内部に放置してもよい。これにより、当該コネクタ付き光ファイバ心線８を取り出すための工程等が不要になる。
【００６７】
以上に説明した本実施形態に係る成端ユニット２によって得られる効果について説明する。この成端ユニット２は、方向Ｘにおいて筐体３とアダプタ群２１との間に設けられ、少なくとも一本の光配線Ｃ４が通過可能な光配線通過部２８を備えている。このため、例えば筐体３内に設けられるコネクタ付き光ファイバ心線８において特定のコネクタ付き光ファイバ心線８に起因して接続障害が発生したとき、特定のコネクタ付き光ファイバ心線８に対する交換用の光配線Ｃ４を、光配線Ｃ３と同じ側から光配線通過部２８を介して筐体３内に容易に収容させることができる。これにより、特定のコネクタ付き光ファイバ心線８のみを筐体３から取り出すことなく、特定のコネクタ付き光ファイバ心線８をアダプタ２３から抜き出し、上記交換用の光配線Ｃ４を当該アダプタ２３に挿入することができる。したがって、成端ユニット２を用いることによって、光配線架１においては、筐体３内の特定のコネクタ付き光ファイバ心線８に起因した接続障害が容易に解消可能になる。
【００６８】
加えて、本実施形態においては、アダプタ群２１を含む第２外部接続部６は、筐体３の前端側に設けられている。ここで図１等に示されるように、筐体３の前端の全体は、光配線架１から露出している。このため、成端ユニット２が載置された光配線架１を配列した後であっても、光配線Ｃ４の筐体３の内部への収容は、筐体３の前端以外から実施する場合よりも容易になる。
【００６９】
光配線通過部２８は、方向Ｘにおいてアダプタ群２１を挟むように複数設けられている。このため、交換するコネクタ付き光ファイバ心線８から離れた光配線通過部２８に光配線Ｃ４を通過させることによって、筐体３内における光配線Ｃ４が許容曲げ変形を超えて曲げることを抑制できる。光配線Ｃ４において筐体３内に収容された先端部の折損を抑制できる。
【００７０】
成端ユニット２は、筐体３内にて、複数のコネクタ付き光ファイバ心線８の心線部分を保護するカバーシート９を備えている。このため、光配線Ｃ４によって複数のコネクタ付き光ファイバ心線８が折損することを抑制できる。
【００７１】
図１７は、上記実施形態の変形例に係る成端ユニットの内部の一部を示す図である。図１７に示されるように、アダプタ群２１内に少なくとも一本の光配線が通過可能な光配線通過部２９が設けられている。具体的には、アダプタ群２１に含まれる複数のアダプタ２３において、方向Ｘに沿った中央部に位置すると共に互いに隣り合うアダプタ２３同士の間に、光配線通過部２９が設けられている。光配線通過部２９は、光配線通過部２８と同様に、光配線Ｃ４（図９を参照）が通過可能に画成された空間または溝である。当該変形例では、光配線通過部２８，２９が、筐体３とアダプタ群２１との間、及びアダプタ群２１内にそれぞれ設けられている。光配線通過部２９の各寸法は、光配線通過部２８の各寸法と略同一である。このような変形例においても、上記実施形態と同様の作用効果が奏される。
【００７２】
本発明による光配線架は、上述した実施形態及び変形例に限られるものではなく、他に様々な変形が可能である。例えば、上記実施形態及び上記変形例では、架部１１において最も下方に位置する成端ユニット２が現地融着ケーブル１３ｃに収容される光ファイバ心線Ｃ２に光接続されているが、これに限られない。具体例としては、最も下方に位置する成端ユニット以外の成端ユニットが現地融着ケーブル１３ｃに収容される光ファイバ心線Ｃ２に光接続されてもよいし、全ての成端ユニット２が対応する多心ケーブル７ｃに収容される光ファイバ心線Ｃ１に光接続されてもよい。
【００７３】
上記実施形態及び上記変形例では、光配線通過部２８が方向Ｘにおいてアダプタ群２１を挟むように複数設けられているが、これに限られない。光配線通過部２８は、筐体３内に１つだけ設けられてもよい。この場合、光配線Ｃ４の先端部の折損を抑制する観点から、筐体３内には、光配線通過部２８，２９の両方が設けられていることが好ましい。
【００７４】
上記変形例では、光配線通過部２９はアダプタ群２１の中央部に設けられているが、これに限られない。また、光配線通過部２９は、アダプタ群２１内に１つだけ設けられているが、複数設けられてもよい。なお、筐体３内には、光配線通過部２８が設けられず、光配線通過部２９のみが設けられてもよい。
【００７５】
上記実施形態及び上記変形例では、光配線の交換方法は、上記ステップＳ１０１〜Ｓ１０５が順番に実施されるが、これに限られない。例えば、ステップＳ１０３〜Ｓ１０５の順番は限定されない。具体例としては、ステップＳ１０３は、ステップＳ１０４またはステップＳ１０５の後に実施されてもよい。
【００７６】
上記実施形態及び上記変形例では、光配線ガイド１７に湾曲板３１ｅが設けられているが、これに限られない。例えば、湾曲板３１ｅは、仕切り板１３の表面に取り付けられてもよい。また、湾曲板３１ｅは、必ずしも設けられなくてもよい。例えば、一部の光配線ガイド１７は、湾曲板３１ｅを有さなくてもよい。
【００７７】
上記実施形態及び上記変形例では、光配線ガイド１７の数と、第１区分け部材１８の数とは、互いに同一でもよいし、互いに異なってもよい。例えば、光配線ガイド１７の数は成端ユニット２の数と同一であり、第１区分け部材１８の数は成端ユニット２の数よりも少なくてもよい。
【００７８】
上記実施形態及び上記変形例では、規制部３３，３４が設けられているが、これに限られない。例えば、規制部３３，３４のいずれか一方のみが設けられてもよい。もしくは、光配線ガイドには、規制部３３，３４以外の規制部が設けられてもよい。また、規制部３３，３４の形状は特に限定されない。例えば、規制部は、ガイド部３２における側壁部３２ｂ，３２ｃの一部であってもよい。
【符号の説明】
【００７９】
１…光配線架、１ａ…下枠部、１ｄ…上枠部、１ｅ…開口、２…成端ユニット、４…第１外部接続部、４ａ…融着トレイ、６…第２外部接続部、７…ケーブル収容部、７ｃ…多心ケーブル、８…コネクタ付き光ファイバ心線、８ａ…光コネクタ、１１…架部、１２…光配線収容部、１３…仕切り板、１３ａ…開口、１３ｂ…（第２）支持部、１３ｃ…現地融着ケーブル、１３ｘ…ケーブル収容部、１４…側板、１５…レール、１５ａ…主部、１５ｂ…分岐部、１５ｃ…分断部、１７…光配線ガイド、１８…第１区分け部材。１９…第２区分け部材、２１…アダプタ群、２２…トレイ、２３…アダプタ、２６…（第１）支持部、２８，２９…光配線通過部、３１…ガイド部、３１ａ…底部、３１ｂ，３１ｃ…側壁部、３１ｄ…スロープ部、３１ｅ…湾曲板、３２…ガイド部、３２ｂ，３２ｃ…側壁部（壁部）、３３…規制部、４１…第１区分け体、４２…第１棒状部材、４２ｃ…区分け部、４３…第２棒状部材、４３ｂ…区分け部、５１…第２区分け体、６１…コネクタ、Ｃ１，Ｃ２…光ファイバ心線、Ｃ３…光配線、Ｃ４…光配線（交換用光配線）、Ｃ１１〜Ｃ１３…クロスコネクト用光配線、Ｓ…収容部、Ｗｂ…光配線束。
【図１】
2019039977.tif 000003
【図２】
2019039977.tif 000004
【図３】
2019039977.tif 000005
【図４】
2019039977.tif 000006
【図５】
2019039977.tif 000007
【図６】
2019039977.tif 000008
【図７】
2019039977.tif 000009
【図８】
2019039977.tif 000010
【図９】
2019039977.tif 000011
【図１０】
2019039977.tif 000012
【図１１】
2019039977.tif 000013
【図１２】
2019039977.tif 000014
【図１３】
2019039977.tif 000015
【図１４】
2019039977.tif 000016
【図１５】
2019039977.tif 000017
【図１６】
2019039977.tif 000018
【図１７】
2019039977.tif 000019